(57)【要約】【課題】包装部材をより簡素化するとともに、製品本体の一部分に過大荷重などのストレスを吸収する部位を設けて、貯湯式給湯機の外観を損なうことを抑制する包装部材を提供すること。【解決手段】本発明の貯湯式給湯機の包装部材は、底板と、底板よりも一段高くなった配管接続板と、前板と、右側面および左側面を構成する側面板とを有する貯湯式給湯機を包装する包装部材であって、配管接続板のコーナー部を除いた周囲に沿って前板もしくは側面板と螺着する立設面を設けるとともに、配管接続板のコーナー部の下方に、コーナー支柱を設けたことにより、歪みのほとんどが吸収され、外観の損傷を抑制することができる。【選択図】図６
2010241457.tif 000002
【特許請求の範囲】
【請求項１】
底板と、前記底板よりも一段高くなった配管接続板と、前板と、右側面および左側面を構成する側面板とを有する貯湯式給湯機を包装する包装部材であって、前記配管接続板のコーナー部を除いた周囲に沿って前記前板もしくは前記側面板と螺着する立設面を設けるとともに、前記配管接続板のコーナー部の下方に、コーナー支柱を設けたことを特徴とする貯湯式給湯機の包装部材。
【請求項２】
前記貯湯式給湯機の四隅を上下に亘って角付けされる包装支柱を備え、前記包装支柱に沿って前記コーナー支柱を配設することを特徴とする請求項１に記載の貯湯式給湯機の包装部材。
【請求項３】
前記コーナー支柱は紙製としたことを特徴とする請求項１または２に記載の貯湯式給湯機の包装部材。
【発明の詳細な説明】
【技術分野】
【０００１】
本発明は、ヒートポンプ給湯機に代表される貯湯式給湯機の包装部材に関するものである。
【背景技術】
【０００２】
従来のこの種の包装部材は、図７に示すものである（例えば、特許文献１参照）。図７に示す包装部材は、包装天カバー４２と、包装天カバー４２を支える包装支柱４３と、製品４４の側面を覆う包装側面カバー４５と、包装固定台４６とを備えている。そして、包装支柱４３は断面がＬ字形で製品に角付けされ、上下方向からの荷重を支えるように補強され、倉庫で多段積みができるようになっている。
【０００３】
このような貯湯式給湯機の製品輸送の現場では、荷役作業を省力化する方向にある。そのため荷役作業の機械化によって、時として運搬用部材には過大ストレスがかけられる場合があるので、貯湯式給湯機の包装を行う包装部材については、物流時のトラブル（貯湯式給湯機の筐体の凹みの発生など）を避けるための強度ＵＰが求められている。
【０００４】
また、図８には、ヒートポンプ式給湯機や電気温水器などの貯湯タンクを備えている貯湯式給湯機のタンクユニットの外観図を示す。図８に示すように、タンクユニットの筐体は、底部を構成する底板５１と、底板５１よりも一段高くなった配管接続板５２を有しており、配管接続板５２には給湯端末や風呂等からの配管を接続するための接続口が複数設けられている。そして、床面から配管接続板５２までの空間は、設置時の配管作業スペースであり、貯湯式給湯機の配管内部の掃除など定期点検に関する作業スペースとなっている。
【０００５】
図９は、貯湯式給湯機の輸送時に貯湯式給湯機を一時的に載置する木製の台の斜視図である。一般的に貯湯式給湯機を輸送する際には、図９に示すような木製の台２１に貯湯式給湯機を載置し、貯湯式給湯機の脚部と木製の台２１とをネジで螺着している。そして、図９に示すＡ方向から、フォークリフト等の作業車の爪（フォーク）を差し込んで、運搬する。そのため木製の台２１のＡ方向側には貫通穴が開いており、この貫通穴にフォークリフトの爪を差し込んで貯湯式給湯機をすくいあげ、貯湯式給湯機へのストレスが全く発生することなく、運搬することができる
【先行技術文献】
【特許文献】
【０００６】
【特許文献１】特開２００２−３４７８８０号公報
【発明の概要】
【発明が解決しようとする課題】
【０００７】
しかしながら、製品輸送の現場における実態は、図９に示すＢ方向、つまり貫通穴が開いていない方向から、フォークリフト等の作業車の爪（フォーク）の先端を突き当てて、フォークリフトの機械動力により、貯湯式給湯機の整列作業を行われている場合がある。この場合、突き押して整列させられる貯湯式給湯機には、１００００Ｎを超える大きな圧縮荷重が掛かる場合がある。
【０００８】
また、ヒートポンプ式給湯機のような貯湯式給湯機は、背丈が高いために縦に製品を積むことができず、製品を横にしてトラックなどの荷台に積んで輸送してしまうことがある。図１０に示すように、包装部材で包装された貯湯式給湯機を横にして、木製の台をフォ
ークリフトでＣ方向から突いて貯湯式給湯機の整列をした場合、貯湯式給湯機の構造が、図８に示すように配管作業スペースを設けている構造であるので、図１０のＤ部分に応力が集中してしまい、外装筐体が変形して外観不良に至ってしまうという課題を有していた。
【０００９】
本発明は、前記従来の課題を解決するものであり、包装部材をより簡素化するとともに、製品本体の一部分に過大荷重などのストレスを吸収する部位を設けて、貯湯式給湯機の外観を損なうことを抑制する包装部材を提供することを目的とするものである。
【課題を解決するための手段】
【００１０】
前記従来の課題を解決するために、本発明の貯湯式給湯機の包装部材は、底板と、底板よりも一段高くなった配管接続板と、前板と、右側面および左側面を構成する側面板とを有する貯湯式給湯機を包装する包装部材であって、配管接続板のコーナー部を除いた周囲に沿って前板もしくは側面板と螺着する立設面を設けるとともに、配管接続板のコーナー部の下方に、コーナー支柱を設けたことにより、歪みのほとんどが吸収され、外観の損傷を抑制することができる。
【発明の効果】
【００１１】
本発明は、貯湯式給湯機の外観を損なうことを抑制する包装部材を提供することができる。
【図面の簡単な説明】
【００１２】
【図１】本発明の実施の形態１におけるタンクユニットの前方斜視図
【図２】同実施の形態１における前方斜視図
【図３】同実施の形態１におけるＸＸ断面図
【図４】同実施の形態１における要部斜視図
【図５】同実施の形態１におけるＹ方向斜視図
【図６】同実施の形態１におけるＹ方向斜視図
【図７】従来のタンクユニット（包装済み）の前方斜視図
【図８】従来のタンクユニットの前方斜視図
【図９】従来の木製台の斜視図
【図１０】従来の荷積みの概略図
【発明を実施するための形態】
【００１３】
第１の発明の貯湯式給湯機の包装部材は、底板と、底板よりも一段高くなった配管接続板と、前板と、右側面および左側面を構成する側面板とを有する貯湯式給湯機を包装する包装部材であって、配管接続板のコーナー部を除いた周囲に沿って前板もしくは側面板と螺着する立設面を設けるとともに、配管接続板のコーナー部の下方に、コーナー支柱を設けたことにより、過大荷重が掛かったときには、コーナー支柱を介して配管接続板に伝えられ、コーナー部には立設面を設けていないので、コーナー部で歪みのほとんどが吸収され、側面板や前板の変形を防ぎ、外観を損なうことを抑制することができる。
【００１４】
第２の発明の貯湯式給湯機の包装部材は、特に第１の発明において、貯湯式給湯機の四隅を上下に亘って角付けされる包装支柱を備え、包装支柱に沿ってコーナー支柱を配設することにより、コーナー支柱を包装支柱に密着させて横方向の衝撃に対しての強度も確保され、所定位置からのズレがなくなり、非常に作業性を向上させることができる。
【００１５】
さらに貯湯式給湯機を起立させた状態で人力で運搬する際、荷役者は包装支柱をつかんで、左右交互に押し込みや引き摺りすることで運搬したり、引き倒して横積みしたりの作業を行うが、これにより包装支柱にストレスがかけられたとしてもコーナー支柱によって
、外装への歪みは吸収され、外観の損傷を抑制する。
【００１６】
第３の発明の貯湯式給湯機の包装部材は、コーナー支柱は紙製としたことにより、紙の坪量（密度）と厚みを適正量に設定すれば、機械による突き押し作業がされた場合に木製の台より１０,０００Ｎ超の圧縮荷重を受けた場合でも、外観の損傷の発生を抑制することができるとともに、包装材料の軽量化とリサイクル化を実現することができる。
【００１７】
さらに紙の坪量（密度）と厚みは、雨天時など水に濡れるようなことがあっても、著しく変形することがないため、貯湯式給湯機を開梱してアンカ−ボルトにて固定設置する際に、アンカ−ボルト固定台が水に濡れているようなことがあったとしてもコーナー支柱の支えによって転倒を防止できる。
【００１８】
以下、本発明の実施の形態について、図面を参照しながら説明する。なお、この実施の形態によって本発明が限定されるものではない。
【００１９】
（実施の形態１）
図１は、本発明の実施の形態１における貯湯式給湯機の包装部材で包装済みのタンクユニットの前方斜視図、図２は、前板を外した状態の前方斜視図、図３は図２のＸＸ横断面図、図４は要部斜視図である。図１および図２に示すように、貯湯式給湯機のタンクユニット１の筐体は、天部を構成する天板３１、左側面を構成する側面板３２、右側面を構成する側面板３３、前面を構成する前板３４、背部を構成する後板（図示せず）、底部を構成する底板３５、底板３５よりも上に高い位置に設けられている配管接続板３６を有している。
【００２０】
また、床面から配管接続板３６までの空間は、貯湯式給湯機を設置する場合の配管作業スペースとなり、貯湯タンク、機能部品の掃除、長期不使用時の排水など定期点検に関する作業スペースであり、必要不可欠である。
【００２１】
そして筐体の内部には、高温湯を貯える貯湯タンク５が設けられており、貯湯タンク５には複数の給湯配管や給水配管６が接続されており、その端部は配管接続板３６に固定されている。これは設置時に給湯端末や浴槽からの配管を、配管接続板３６に固定された給湯配管や給水配管６に接続するためである。また、配管接続板３６は、コーナー部を除いた周囲に沿って立設面３７を設けている。立設面３７は配管接続板３６と一体的に形成され、配管接続板３６の周囲を折り曲げ加工することで立設面３７を形成している。
【００２２】
また、底板３５には、アンカーボルト固定用の穴９を有した脚部１０を有しており、貯湯タンク５の荷重を床面上で支えている。
【００２３】
以上のように構成された貯湯式給湯機の側面板３２および３３は、底板３５と配管接続板３６とが上下にズレて配設されているので、略Ｌ字型形状になってしまい、外部から力が掛かった場合には、その略直角形状を成している部分に応力が集中し、変形しやすい。従来では配管接続板３６から床面までの間の作業スペース全体に、発泡スチロ−ルブロックないし、箱型段ボ−ルを挿入し変形を防止する対応を取ってきたが、包装材料の省資源化の点では大きな課題であり、好ましくない。
【００２４】
そこで本発明では、貯湯式給湯機のタンクユニットの包装には、タンクユニットの４隅の角部を上下に渡って保護するための包装支柱１１を配設しており、上下方向の荷重を支えるように補強されている。この包装支柱１１は、断面がＬ字形で外装に角付けして密着し、ポリプロピレン製のバンドにより側方より製品に固定されている。
【００２５】
また、底部には木製の台７を設け、木製の台７に脚部１０をアンカーボルト固定用の穴９を介して螺着して取り付けられている。さらに、上方向から天部を覆う包装天カバー７０が被せられており、上方向からのダメージを軽減してタンクユニットの筐体を保護している。
【００２６】
そして、側面板３２および３３の略直角形状を成している部分に応力が集中しないように、コーナー支柱８を設けている。コーナー支柱８は、配管接続板３６のコーナー部の下方に設けられ、配管接続板３６を支えるように設けられる。コーナー支柱８は、紙管原紙を円筒状に積層し接着成型した紙製の管であり、剛性を有している。
【００２７】
図５、６は図３のＹ方向斜め上方より斜視した図である。図５、６に示すように、配管接続板３６のコーナー部には立設面３７を有しておらず、平板面を形成している。そして側面板３３（３２）および前板３４と、立設面３７とが螺着されて筐体が形成されている。
【００２８】
コーナー支柱８を設けていない場合には、側面板３２および３３に応力が集中してしまい、外観を損なうことになってしまっていたが、このように構成されることで、木製の台７に対して想定外の大きな荷重が掛かったとしても、コーナー支柱８に掛かった荷重が配管接続板３６のコーナーに設けた平板面（立設面３７が設けられていない箇所）に荷重が掛かって、配管接続板３６の弾性により力が逃げるので、外観への影響が低減できるようになる。
【００２９】
以上のような包装部材を用いて貯湯式給湯機のタンクユニットを包装すると、包装完成状態の製品は、倉庫で多段積みされても段上の荷重をささえることができるし、荷役の際は作業者が包装支柱１１をつかんで、左右交互に押し込みや引き摺りすることで運搬したり、引き倒して横積みしたりすることができる。
【００３０】
また、配管接続板３６は、コーナー部に平板面を残した略長方形状の金属板で、コーナー支柱８は、コーナー部に残した平板面を支える位置で、かつ断面がＬ字形の包装支柱１１の内角に角付け密着するように立てられているので、外周衝撃から守られ、強度も増強されて小型化が図れて、コーナー支柱８の断面積は小さくなり平板面を支える面積も小さくすることができ、ひいては、万一、平板面が変形しても配管接続板３６の機能への影響がほとんどなく、配管接続の機能のためのスペ−スを最大限有効に使うことができる。
【００３１】
さらにコーナー支柱８の材料である紙の坪量（密度）と厚みは、雨天時など水に濡れるようなことがあっても、著しく変形することがないため、貯湯式給湯機を開梱してアンカ−ボルトにて固定設置する際に、アンカ−ボルト固定台が水に濡れているようなことがあったとしてもコーナー支柱８の支えによって転倒を防止できる。また、コーナー支柱８、包装支柱１１の材質は紙以外の材料、すなわち樹脂など包装材料としてリサイクルできる材料にすると非常に環境に良い包装部材にすることができる。
【産業上の利用可能性】
【００３２】
以上のように、ヒートポンプ給湯機や電気温水器など貯湯タンクを有し、背高さのある貯湯式給湯機に利用することができる。
【符号の説明】
【００３３】
５  貯湯タンク
８  コーナー支柱
１１  包装支柱
３１  天板
３２  側面板
３３  側面板
３４  前板
３５  底板
３６  配管接続板
３７  立設面
【図１】
2010241457.tif 000003
【図２】
2010241457.tif 000004
【図３】
2010241457.tif 000005
【図４】
2010241457.tif 000006
【図５】
2010241457.tif 000007
【図６】
2010241457.tif 000008
【図７】
2010241457.tif 000009
【図８】
2010241457.tif 000010
【図９】
2010241457.tif 000011
【図１０】
2010241457.tif 000012